(57)【要約】【課題】レンズフード本体に付属品を装着したままでもキャップを着脱することができ、しかもキャップをレンズ鏡筒本体とフード本体との両方に取り付けることができるレンズフードを提供する。【解決手段】筒状のレンズフード本体（１）と、レンズフード本体（１）の中心軸（ＡＸ）方向の一端部に設けられ、キャップ（４）を係止可能なレンズ鏡筒（２００）の先端に係止可能な第１の係止部（１ａ）と、レンズフード本体（１）の中心軸（ＡＸ）方向の他端部に設けられ、キャップ（４）を係止可能な第２の係止部（１ｂ）と、レンズフード本体（１）の中心軸（ＡＸ）方向の他端部に設けられ、付属品を係止可能な第３の係止部（１ｃ）とを備えている。【選択図】図２
2012037596.tif 000002
【特許請求の範囲】
【請求項１】
筒状のレンズフード本体と、
前記レンズフード本体の中心軸方向の一端部に設けられ、キャップを係止可能なレンズ鏡筒の先端に係止可能な第１の係止部と、
前記レンズフード本体の中心軸方向の他端部に設けられ、前記キャップを係止可能な第２の係止部と、
前記レンズフード本体の中心軸方向の他端部に設けられ、付属品を係止可能な第３の係止部と
を備えていることを特徴とするレンズフード。
【請求項２】
前記第１の係止部は雌形係止部であり、前記第２の係止部は雄形係止部であることを特徴とする請求項１記載のレンズフード。
【請求項３】
前記第１の係止部の近傍に前記レンズフード本体の回転を規制する回転規制部材を備えることを特徴とする請求項１又は２記載のレンズフード。
【発明の詳細な説明】
【技術分野】
【０００１】
この発明はレンズフードに関する。
【背景技術】
【０００２】
従来、筒状に延在するフード本体と、フード本体の一端に設けられた基部側取り付け部と、フード本体の他端に設けられた先部側取り付け部とを備えるレンズフードが知られている（下記特許公報参照）。基部側取り付け部と先部側取り付け部との間は基部側円筒部とテーパ部とにより接続されている。基部側取り付け部は飾り環の雌ねじに結合する雄ねじにより形成されている。先部側取り付け部はアクセサリーである偏光フィルター（付属品）の雄ねじに結合する雌ねじにより形成されている。このレンズフードを用いることにより、薄型のレンズ鏡筒（いわゆるパンケーキレンズ）に対する偏光フィルターの取り付けが可能になる。
【先行技術文献】
【特許文献】
【０００３】
【特許文献１】特開平１１−１９４３９７号公報
【発明の概要】
【発明が解決しようとする課題】
【０００４】
しかし、上述のレンズフードでは、先部側にアクセサリーである偏光フィルターを取り付ける取り付け部が形成されているだけであり、キャップを取り付けるキャップ取り付け部は形成されていない。また、キャップを取り付けられるようにしたとしても、大きさの異なる２種類のキャップが必要になる。
【０００５】
この発明はこのような事情に鑑みてなされたもので、レンズフード本体に付属品を装着したままでもキャップを着脱することができ、しかもキャップをレンズ鏡筒本体とフード本体との両方に取り付けることができるレンズフードを提供することである。
【課題を解決するための手段】
【０００６】
上記課題を解決するため請求項１記載の発明は、筒状のレンズフード本体と、前記レンズフード本体の中心軸方向の一端部に設けられ、キャップを係止可能なレンズ鏡筒の先端に係止可能な第１の係止部と、前記レンズフード本体の中心軸方向の他端部に設けられ、前記キャップを係止可能な第２の係止部と、前記レンズフード本体の中心軸方向の他端部に設けられ、付属品を係止可能な第３の係止部とを備えていることを特徴とする。
【０００７】
請求項２記載の発明は、請求項１記載のレンズフードにおいて、前記第１の係止部は雌形係止部であり、前記第２の係止部は雄形係止部であることを特徴とする。
【０００８】
請求項３記載の発明は、請求項１又は２記載のレンズフードにおいて、前記第１の係止部の近傍に前記レンズフード本体の回転を規制する回転規制部材を備えることを特徴とする。
【発明の効果】
【０００９】
この発明によれば、レンズフード本体に付属品を装着したままでもキャップを着脱することができ、しかもキャップをレンズ鏡筒本体とフード本体との両方に取り付けることができる。
【図面の簡単な説明】
【００１０】
【図１】図１はこの発明の一実施形態に係るレンズフードをレンズ鏡筒に装着した状態を示す破断面図である。
【図２】図２はレンズフードにキャップを装着した状態を示す破断面図である。
【図３】図３は比較例に係るレンズフードをレンズ鏡筒に装着した状態を示す破断面図である。
【発明を実施するための形態】
【００１１】
以下、この発明の実施の形態を図面に基づいて説明する。
【００１２】
図１はこの発明の一実施形態に係るレンズフード１００をレンズ鏡筒２００に装着した状態を示す破断面図、図２はレンズフード１００にキャップ４を装着した状態を示す破断面図である。
【００１３】
レンズフード１００は、合成樹脂材料によって形成された筒状のレンズフード本体１と、レンズフード本体１の中心軸ＡＸ方向の一端部に設けられ、キャップ４を係止可能なレンズ鏡筒２００（レンズ鏡筒本体２）の先端に係止可能な一対の第１の係止部１ａと、レンズフード本体１の中心軸ＡＸ方向の他端部に設けられ、キャップ４を係止可能な一対の第２の係止部１ｂと、レンズフード本体１の中心軸ＡＸ方向の他端部に設けられ、図示しないフィルタ等のアタッチメント（付属品）を係止可能な第３の係止部１ｃとを備えている。
【００１４】
レンズ鏡筒本体２の先端の外周面には雄形係止部である一対の第４の係止部２ａが設けられている。一対の第４の係止部２ａは中心軸ＡＸを中心とする対称の位置に配置されている。第４の係止部２ａの中心軸ＡＸを中心とする周方向の長さは、レンズ鏡筒本体２の外周の長さのほぼ１／４である。したがって、レンズ鏡筒本体２の外周面には、第４の係止部２ａが設けられている２つの領域と第４の係止部２ａが設けられていない２つの領域とが中心軸ＡＸ周りに交互に配置されることになる。なお、レンズ鏡筒本体２には図示しないレンズ等が収容されている。
【００１５】
第１の係止部１ａはレンズフード本体１の内周面に設けられた雌形係止部である。第１の係止部１ａはレンズフード本体１の半径方向内方へ突出する。一対の第１の係止部１ａは中心軸ＡＸを中心とする対称の位置に配置されている。第１の係止部１ａの周方向の長さは、レンズフード本体１の内周の長さのほぼ１／４である。したがって、レンズフード本体１の内周面には、第１の係止部１ａが設けられている２つの領域と第１の係止部１ａが設けられていない２つの領域とが中心軸ＡＸ周りに交互に配置されることになる。
【００１６】
第４の係止部２ａと第１の係止部１ａとがバヨネット結合する。
【００１７】
第２の係止部１ｂはレンズフード本体１の外周面に設けられた雄形係止部である。一対の第２の係止部１ｂは中心軸ＡＸを中心とする対称の位置に配置されている。第２の係止部１ｂの周方向の長さはレンズフード本体１の外周の長さのほぼ１／４である。したがって、レンズフード本体１の外周面には、第２の係止部１ｂが設けられている２つの領域と第２の係止部１ｂが設けられていない２つの領域とが中心軸ＡＸ周りに交互に配置されることになる。
【００１８】
キャップ４の内周面には雌形係止部である一対の第５の係止部４ａが設けられている。第５の係止部４ａはキャップ４の半径方向内方へ突出する。一対の第５の係止部４ａは中心軸ＡＸを中心とする対称の位置に配置されている。第５の係止部４ａの周方向の長さはキャップ４の内周の長さのほぼ１／４である。したがって、キャップ４の内周面には、第５の係止部４ａが設けられている２つの領域と第５の係止部４ａが設けられていない２つの領域とが中心軸ＡＸ周りに交互に配置されることになる。
【００１９】
第２の係止部１ｂと第５の係止部４ａとがバヨネット結合する。
【００２０】
第２の係止部１ｂと第４の係止部２ａとは同じ大きさ、同じ形状である。
【００２１】
第３の係止部１ｃはレンズフード本体１の他端部の内周面に設けられためねじであり、フィルタ等のアタッチメントの外周面に設けられたおねじと螺合して、フィルタ等のアタッチメントをレンズフード１００に係止させる。
【００２２】
レンズフード本体１の第１の係止部１ａの近傍には、レンズフード本体１の回転を規制する回転規制部材３が設けられている。回転規制部材３によって、レンズフード本体１の他端部の第３の係止部１ｃにフィルタ等のアタッチメントを係止させた後、アタッチメントをレンズフード１００から取り外す際、レンズフード１００がフィルタ等のアタッチメントとともにレンズ鏡筒２００から外れることを防止できる。
【００２３】
回転規制部材３は、例えばレンズフード本体１に設けられ、中心軸ＡＸに沿って移動可能な直進キー３ａと、レンズ鏡筒２に設けられ、直進キーを嵌合可能な直進溝（図示せず）とで構成される（スライドスイッチ構造）。
【００２４】
なお、レンズフード１００をレンズ鏡筒２００から取り外すトルクを、フィルタ等のアタッチメントをレンズフード１００から取り外すトルクより大きくすることで、アタッチメントを取り外す際、レンズフード１００がフィルタ等のアタッチメントとともにレンズ鏡筒２００から外れることを防止できるようにしてもよい。
【００２５】
次に、この実施形態のレンズフード１００の使用方法の一例を説明する。なお、図１、２ではフィルタ等のアタッチメントはレンズフード本体１に装着されていない。
【００２６】
図１に示すようにレンズフード１００をレンズ鏡筒２００に装着するには、レンズフード本体１の第１の係止部１ａが設けられている領域とレンズ鏡筒本体２の第４の係止部２ａが設けられていない領域とを嵌合させ、レンズ鏡筒２００に対してレンズフード１００を相対的に９０°回転させればよい。その結果、レンズフード１００とレンズ鏡筒２００とがバヨネット結合する。
【００２７】
また、図２に示すようにレンズ鏡筒２００に装着されたレンズフード１００にキャップ４を装着するには、キャップ４の第５の係止部４ａが設けられている領域とレンズフード本体１の第２の係止部１ｂが設けられていない領域とを嵌合させ、レンズフード１００に対してキャップ４を相対的に９０°回転させればよい。その結果、レンズ鏡筒２００とキャップ４とがバヨネット結合する。
【００２８】
なお、図示しないが、キャップ４をレンズ鏡筒２００に装着するには、キャップ４の第５の係止部４ａが設けられている領域とレンズ鏡筒本体２の第４の係止部２ａが設けられていない領域とを嵌合させ、レンズ鏡筒２００に対してキャップ４を相対的に９０°回転させればよい。その結果、キャップ４とレンズ鏡筒２００とがバヨネット結合する。
【００２９】
この実施形態によれば、レンズフード本体１の他端部にキャップ４を係止可能な第２の係止部１ｂをフィルタ等のアタッチメントとともに取り付けることができるようにしたので、レンズフード本体１にフィルタ等のアタッチメントを装着したままでもキャップ４を着脱することができる。また、第２の係止部１ｂと第４の係止部２ａとは同じ大きさ、同じ形状であるので、キャップ４をレンズ鏡筒２００の先端とレンズフード１００のいずれにも装着することができる。
【００３０】
図３は比較例に係るレンズフード５００をレンズ鏡筒６００に装着した状態を示す破断面図であり、図１と共通する部分には同一符号を付してその説明を省略する。
【００３１】
レンズフード５００は、合成樹脂材料によって形成された筒状のレンズフード本体５０１と、レンズフード本体５０１の中心軸ＡＸ方向の一端部の外周面に設けられ、レンズ鏡筒６００（レンズ鏡筒本体６０２）の先端部の内周面に設けられためねじ６００ａと螺合するおねじ５００ａと、レンズフード本体５０１の中心軸ＡＸ方向の他端部の内周面に設けられ、図示しないフィルタ等のアタッチメント（付属品）を係止可能な第３の係止部１ｃ（めねじ)とを備えている。
【００３２】
上記のように、比較例に係るレンズフード５００では、レンズフード本体５０１とレンズ鏡筒本体６０２とをねじ結合させるので、両者を確実に結合させるためには両者の結合部の中心軸ＡＸ方向の長さとして一定の長さが必要であり、バヨネット結合方式を採用する上記実施形態に係るレンズフード１００に比べ、レンズフード本体５０１とレンズ鏡筒本体６０２との中心軸ＡＸ方向の結合部の長さが長くなる。外径に比べてレンズ鏡筒本体の軸方向の長さが極端に短い薄型のレンズの鏡筒に上記実施形態に係るレンズフード１００を使用した場合、特に効果的である。例えば上記実施形態に係るレンズフード１００が装着されるレンズ鏡筒本体の全長ａは２０ｍｍになるのに対し、比較例に係るレンズ鏡筒本体の全長ｂは２２ｍｍである。
【符号の説明】
【００３３】
１，５０１：レンズフード本体、１ａ：第１の係止部、１ｂ：第２の係止部、１ｃ：第３の係止部、３：回転規制部材、４：キャップ、１００，５００：レンズフード、２００，６００：レンズ鏡筒、ＡＸ：中心軸。
【図１】
2012037596.tif 000003
【図２】
2012037596.tif 000004
【図３】
2012037596.tif 000005